(57)【要約】【課題】  本に対して制限や課金を施すと、例えばほとんど白紙のページに対しても同様に課金されてしまい、ユーザにとって不利益であるため、各ページに非接触ＩＣタグを付け、ＭＦＰに装備した干渉しない２つＩＣタグリーダによってページを特定し、各ページに対してコピー制限や課金を行うＭＦＰに係る画像形成装置を提案する。【解決手段】  無線交信素子から記録情報を読み込むための無線交信素子読み込み手段と、前記無線交信素子読み込み手段によって、無線通信素子が各紙面に付加された紙の束から読み込んだページ管理情報に基づいてページ管理をおこなうページ管理手段とを有することを特徴とする画像形成装置。【選択図】        図１
2006239922.tif 000002
【特許請求の範囲】
【請求項１】
無線交信素子から記録情報を読み込むための無線交信素子読み込み手段と、
前記無線交信素子読み込み手段によって、無線通信素子が各紙面に付加された紙の束から読み込んだページ管理情報に基づいてページ管理をおこなうページ管理手段と、
を有することを特徴とする画像形成装置。
【請求項２】
請求項１に記載の画像形成装置において、
前記無線通信素子が各紙面に付加された紙の束は、書籍であることを特徴とした画像形成装置。
【請求項３】
請求項２に記載の画像形成装置において、
前記無線交信素子読み込み手段は第１の無線交信素子読み込み手段と第２の無線交信素子読み込み手段から成り、
前記ページ管理手段は、前記２つの無線交信素子読込手段でそれぞれ読み込んだページ管理情報に基づいて、前記書籍の開いたページのページ番号を特定するページ番号特定手段を有することを特徴とする画像形成装置。
【請求項４】
請求項３に記載の画像形成装置において、
特定されたページ番号を用いて前記別の無線交信素子に基づいて各ページの課金を行うページ課金手段と、
特定されたページ番号を用いて前記別の無線交信素子に基づいて各ページの複写を制限する複写制限手段と、
を有することを特徴とする画像形成装置。
【請求項５】
請求項４に記載の画像形成装置において、
前記課金手段は、前記別の無線交信素子に記憶されている各ページの課金情報を用いて課金を行うこと、
を有することを特徴とする画像形成装置。
【請求項６】
請求項４に記載の画像形成装置において、
前記複写制限手段は、前記別の無線交信素子に記憶されている各ページの複写情報を用いて複写を制限すること、
を有することを特徴とする画像形成装置。
【発明の詳細な説明】
【技術分野】
【０００１】
本発明は、各ページに情報記憶媒体が付加された印刷物と、画像形成装置、その制御方法、及びプログラムに関し、印刷物の各ページに付加された情報記憶媒体から読み取ったページ情報に基づいた機能の提供に関する。
【背景技術】
【０００２】
近年、複写機を単にコピー用に使用するだけでなく、当該複写機にプリンタ機能、スキャナ機能、或いはファクシミリ機能等を備えたＭＦＰ装置（Ｍｕｌｔｉ  Ｆｕｎｃｔｉｏｎ  Ｐｒｉｎｔｅｒ：複合機）が急速に普及してきている。この種のＭＦＰ装置は、ネットワーク上の他の装置から投入されたプリントジョブに基づいて印刷処理を行うネットワークプリンタとしても使用されている。このＭＦＰにおいて、市販本等の著作権を有するものに対しても、著作者の許可なしに、自由に複写可能であるという問題があった。その問題を解決するために、例えば複写する本に対してコピー制限や課金を行うことで著作権を保護する提案がなされている（例えば、特許文献１参照）。
【特許文献１】特開平２００２−３１４７８７号公報
【発明の開示】
【発明が解決しようとする課題】
【０００３】
しかしながら、上述した従来の技術では、本に対して制限や課金を施すので、例えばほとんど白紙のページを複写する際にも同様な課金処理が行われてしまい、ユーザにとって不利益である恐れがあった。
【０００４】
本発明は、以上の点に着目して成されたもので、著作権を保護することや、著作権者、複写を行うユーザの双方にとって有益なサービスを提供することが可能となる画像形成装置を提供することを目的とする。
【課題を解決するための手段】
【０００５】
以上のような要求を満たすための手段として、
請求項１では、無線交信素子から記録情報を読み込むための無線交信素子読み込み手段と、前記無線交信素子読み込み手段によって、無線通信素子が各紙面に付加された紙の束から読み込んだページ管理情報に基づいてページ管理をおこなうページ管理手段と、を有することを特徴とする。
【０００６】
請求項２では、請求項１に記載の画像形成装置において、前記無線通信素子が各紙面に付加された紙の束は、書籍であることを特徴とする。
【０００７】
請求項３では、請求項２に記載の画像形成装置において、前記無線交信素子読み込み手段は第１の無線交信素子読み込み手段と第２の無線交信素子読み込み手段から成り、前記ページ管理手段は、前記２つの無線交信素子読込手段でそれぞれ読み込んだページ管理情報に基づいて、前記書籍の開いたページのページ番号を特定するページ番号特定手段を有することを特徴とする。
【０００８】
請求項４では、請求項３に記載の画像形成装置において、特定されたページ番号を用いて前記別の無線交信素子に基づいて各ページの課金を行うページ課金手段と、特定されたページ番号を用いて前記別の無線交信素子に基づいて各ページの複写を制限する複写制限手段と、を有することを特徴とする。
【０００９】
請求項５では、請求項４に記載の画像形成装置において、前記課金手段は、前記別の無線交信素子に記憶されている各ページの課金情報を用いて課金を行うこと、を有することを特徴とする。
【００１０】
請求項６では、請求項４に記載の画像形成装置において、前記複写制限手段は、前記別の無線交信素子に記憶されている各ページの複写情報を用いて複写を制限すること、を有することを特徴とする。
【発明の効果】
【００１１】
本発明によれば、著作権を有する市販本に対して、各ページに対してコピー制限や課金を行い、著作権を保護することが可能となる。また、複写による課金を行う際に、各ページに相当する課金額を著作者が設定することが可能となり、著作権者、複写を行うユーザの双方にとって有益なサービスを提供することが可能となる。
【発明を実施するための最良の形態】
【００１２】
なお、本発明のその他の特徴は、下記の発明の実施の形態により明らかになろう。
【実施例】
【００１３】
［第１の実施形態］
図１は、本発明を適用したＭＦＰ装置の機械的な構成の概要を示す断面図である。図１に示したように、ＭＦＰ装置１００は、原稿画像を読み取るイメージリーダ部１０１と、イメージリーダ部１０１で読み取った画像データ、或いは外部から入力されたデータを印刷するプリンタ部１０２とを有しており、イメージリーダ部１０１は、例えば４００ｄｐｉ（ｄｏｔｓ／ｉｎｃｈ）の解像度で原稿画像を読み取ってデジタル信号処理を行い、プリンタ部１０２は、イメージリーダ部１０１等から出力された画像データに応じた画像を例えば１２００ｄｐｉの解像度で印刷する。
【００１４】
イメージリーダ部１０１では、点灯したランプ１０５を移動させることにより、原稿台ガラス１０３に載置された原稿１０４の画像を露光走査する。この露光走査時の原稿１０４からの反射光像は、ミラー１０６、１０７、１０８、レンズ１０９を介して３ラインＣＣＤセンサ１１０に入射される。３ラインＣＣＤセンサ１１０は、入力された反射光像をレッド（Ｒ）、グリーン（Ｇ）、ブルー（Ｂ）の色成分毎に光電変換し、電子的なカラー画像信号として信号処理部１１１に転送する。なお、原稿画像を露光走査する際には、ランプ１０５、及びミラー１０６は、ミラー１０７、１０８の２倍の速度で移動制御される。
【００１５】
信号処理部１１１は、３ラインＣＣＤセンサ１１０から入力されたＲ、Ｇ、Ｂの画像信号を、マゼンタ（Ｍ）、シアン（Ｃ）、イエロー（Ｙ）、ブラック（Ｂｋ）の画像信号に変換して、プリンタ部１０２のレーザドライバ１１２に転送する。なお、原稿画像の１回の露光走査では、Ｍ、Ｃ、Ｙ、Ｂｋのうち１つの色成分に係る画像信号がレーザドライバ１１２に転送され、１枚の原稿画像に対して４回の露光走査が実行される。
【００１６】
レーザドライバ１１２は、半導体レーザ１１３から発振するレーザ光を、信号処理部１１１から転送されてきた画像信号、或いは後述するＮＩＣ３１１を介して入力された画像信号に基づいて変調する。半導体レーザ１１３から発振されたレーザ光は、ポリゴンミラー１１４、ｆ−θレンズ１１５、ミラー１１６を介して、感光ドラム１１７に入射される。この際、レーザ光は、ポリゴンミラー１１４により感光ドラム１１７の主走査方向に走査され、この走査により感光ドラム１１７には静電潜像が形成される。
【００１７】
回転現像器１１８は、マゼンタ現像部１１９、シアン現像部１２０、イエロー現像部１２１、ブラック現像部１２２より構成され、これら４つの現像部がサイクリックに感光ドラム１１７に接し、感光ドラム１１７上に順次形成されるマゼンタ（Ｍ）、シアン（Ｃ）、イエロー（Ｙ）、ブラック（Ｂｋ）に係る静電潜像を対応する色のトナーで順次現像する。
【００１８】
転写ドラム１２３は、用紙カセット１２４または１２５より供給される記録紙を巻きつけ、この記録紙上に、感光ドラム１１７上に順次形成されたＭ、Ｃ、Ｙ、Ｂｋ各色のトナー像を順次転写する。
【００１９】
このように、静電潜像形成処理、現像処理、転写処理のプロセスがＭ、Ｃ、Ｙ、Ｂｋ各画像信号について繰り返されることにより、Ｍ、Ｃ、Ｙ、Ｂｋの各色のトナー像が同一の記録紙に重ねて転写されてフルカラー画像が形成される。フルカラー画像が形成された記録紙は、転写ドラム１２３から分離され、定着ユニット１２６によりトナー像の定着処理がなされて排紙トレイ１２８に排紙される。また、操作部１２９は、液晶タッチパネルで構成され、画像入出力システムを操作するためのユーザＩ／Ｆを提供する。
【００２０】
本ＭＦＰ装置１００では、図２に示したように、後述する非接触ＩＣ（ＲＦＩＤタグ）２０２、２０３が漉き込まれた（埋め込まれた）ＩＤペーパ２０１を記録紙として使用することができる。このＩＤペーパ２０１に漉き込まれた非接触ＩＣ２０２、２０３には、定着ユニット１２６の手前の位置に設けられた非接触ＩＣリーダ／ライタ１２７により所定のデータ読み書きすることができる。
【００２１】
また、原稿台カバー部１２８の下部（原稿載置方向）は、図３に示したように、非接触ＩＣリーダ／ライタ３０１、３０２を備え、原稿台ガラス１０３に非接触ＩＣ付き書籍４０１を載置し、前記原稿台カバー部を閉じて所定の処理をおこなうと、前記非接触ＩＣリーダ／ライタ３０１、３０２は、前記非接触ＩＣ付き書籍４０１に付加された非接触ＩＣに格納されたページ情報を読み取る。
【００２２】
前記非接触ＩＣ付き書籍４０１について簡単に説明すると、各ページには、図４のように非接触ＩＣ４０２、４０３が図示された位置に付加されており、ページの順に表紙から降順のＩＤが割り振られ、格納されている。これを用いたページの特定方法については後述する。また、非接触ＩＣ４０４が図示された位置に付加されており、コピー制限や課金を行う際に用いられる各ページについての情報が格納されている。これを用いたコピー制限・課金方法については後述する。
【００２３】
次に、プリンタ部１０２の制御部のハードウェア構成を図５に基づいて説明する。
【００２４】
プリンタ部１０２の制御部は、ブリッジ回路５０６で接続されたローカルバス５０４とＩ／Ｏバス５０５を有している。ローカルバス５０４には、ＣＰＵ５０１、ＲＡＭ５０２、及びＲＯＭ５０３が接続されている。また、Ｉ／Ｏバス５０５には、プリンタＩ／Ｆ５０８、ハードディスクＩ／Ｆ（ＩＤＥＩ／Ｆ）５１０、ネットワーク・インタフェース・コントローラ（ＮＩＣ）５１１、イメージプロセッシングユニット（ＩＰＵ）５１２、ラスタ・イメージ・プロセッサ（ＲＩＰ）５１３、ビデオＲＡＭ５１４、ビデオＩ／Ｆ５１５、拡張Ｉ／Ｏ  Ｉ／Ｆ５１６、及びＩＣリーダ／ライタ５１７が接続されている。また、プリンタＩ／Ｆ５０７にはプリンタエンジン５０７が接続され、ＩＤＥ  Ｉ／Ｆ５１０にはハードディスクドライブ（ＨＤＤ）５０９が接続されている。
【００２５】
ＣＰＵ５０１は、ＲＯＭ５０３に格納されたブートプログラムにより、ＨＤＤ５０９内のシステムプログラム、アプリケーションプログラムをＲＡＭ５０２に展開し、これらシステムプログラム、アプリケーションプログラムを協働させてプリンタ部１０２における各種の制御を行う。なお、ＲＡＭ５０２は、ＣＰＵ５０１が各種演算を行う際の演算結果や、画像データなどを一時的に記憶しておくワークエリアとしても利用され、ＲＯＭ５０３には、文字コードデータ等を文字イメージデータに変換するためのフォントデータ、…も格納されている。
【００２６】
ブリッジ回路５０６は、ローカルバス５０４とＩ／Ｏバス５０５とを切り離すために用いられ、この切り離し機能により、例えばＩ／Ｏバス５０５を介してプリンタＩ／Ｆ５０８からＲＩＰ５１３に画像データを転送している間に、ＣＰＵ５０１は、ローカルバス５０４を介してＲＡＭ５０２やＲＯＭ５０３にアクセスすることが可能となる。
【００２７】
プリンタエンジン５０７は、前述のプリンタ部１０２に相当するものである。プリンタＩ／Ｆ５０８は、プリンタエンジン５０７部とＩ／Ｏバス５０５を接続するためのものであり、ＣＰＵ５０１の指示に従ってＲＡＭ５０２に格納されている画像データをプリンタエンジン５０７のレーザドライバ１１２に転送する。ＩＤＥ  Ｉ／Ｆ５１０は、ＣＰＵ５０１の制御の下に、ＨＤＤ５０９に対するアクセスを実行する。なお、ＨＤＤ５０９には、さらに、画像データもスプールされる。
【００２８】
ＮＩＣ５１１は、ローカルエリアネットワーク等のネットワークを介して、パーソナルコンピュータ等の外部装置との間で画像データ等を送受信するために使用される。ＩＰＵ５１２は、解像度変換などの画像処理を行うためのものである。ＲＩＰ５１３は、ＣＰＵ５０１の制御の下に、ＮＩＣ５１１を介して外部装置から転送されたページ記述言語に係る画像データをビットマップ画像に変換し、ＲＡＭ５０２に展開する。
【００２９】
ビデオＲＡＭ５１４には、操作部の表示パネル（図示省略）に表示する表示データが書き込まれ、この表示データは、ビデオＩ／Ｆ５１５を介して上記表示パネルに出力される。拡張Ｉ／Ｏ  Ｉ／Ｆ５１６は、例えば携帯電話（図示省略）などとＣＰＵ５０１が通信を行うためのインタフェース回路であり、電子メールの送信機能を有している。
【００３０】
ＩＣリーダ／ライタ５１７は、図１に示した非接触ＩＣリーダ／ライタ１２７、に相当するものであり、図２に示したＩＤペーパ（記録紙）２０１上の非接触ＩＣ２０２に対するデータアクセスを無線通信により行う。このＩＣリーダ／ライタ５１７については、後ほど、図７に基づいて詳細に説明する。
【００３１】
図６は、イメージスキャナ部１０１の制御部のハードウェア構成を示すブロック図である。図６に示したように、イメージスキャナ部１０１の制御部は、図５に示したプリンタ部１０２の制御部と同様のデバイスを有しているので、相違点だけを簡単に説明する。
【００３２】
イメージスキャナ部１０１の制御部は、プリンタ部１０２の制御部におけるラスタ・イメージ・プロセッサ（ＲＩＰ）５１３、ビデオＲＡＭ５１４、及びビデオＩ／Ｆ５１５に相当するデバイスを有しておらず、プリンタＩ／Ｆ３０８、プリンタエンジン３０７、ＩＣライタ５１７の代わりに、それぞれスキャナＩ／Ｆ６０８、スキャナエンジン６０７、ＩＣリーダ６１２を有している点で、プリンタ部１０２の制御部と相違している。
【００３３】
スキャナエンジン６０７は、前述のイメージスキャナ部１０１に相当するものである。スキャナＩ／Ｆ６０８は、スキャナエンジン６０７部とＩ／Ｏバス６０５を接続するためのものであり、ＣＰＵ６０１の指示に従って、スキャナエンジン６０７部から出力された画像データをＲＡＭ６０２に転送する。
【００３４】
ＩＣリーダ／ライタ６１２は、図３に示した非接触ＩＣリーダ／ライタ３０１、３０２に相当するものであり、非接触ＩＣ付き書籍４０１に付加された非接触ＩＣ４０２、４０３に対するデータアクセスを無線通信により行う。このＩＣリーダ／ライタ６１２については、ＩＣリーダ／ライタ５０７と共に、以下で図７に基づいて詳細に説明する。
【００３５】
図７は、ＩＣリーダ／ライタ５１７、６１２の構成を示すブロック図である。ＩＣリーダ／ライタには、電波信号を送信するための送信アンテナ部７０２と、送信アンテナ部７０２から送信するデータ信号を変調する変調回路７０３と、電波信号を受信する受信アンテナ部７０４、受信アンテナ部７０４より受信した電波信号を復調する復調回路７０５、非接触ＩＣ以外の機器等（本実施形態では、ＣＰＵ３０１）との通信を行うＩ／Ｆ部７０６、及び制御部７０７を有しており、制御部７０７は、上記送信アンテナ部７０２、変調回路７０３、受信アンテナ部７０４、復調回路７０５、及びＩ／Ｆ部７０６を制御している。なお、送信アンテナ部７０２には、前述の電力生成用の電波を常時発信するための交流電源７０８が接続されている。
【００３６】
制御部７０７は、ＣＰＵ３０１からの指示により、変調回路７０３を用いて電力を供給するための電波、及び送信するデータを変調して、送信アンテナ部７０２を介して電波を発信させる。また、制御部７０７は、受信アンテナ部７０４で受信した電波信号を、復調回路７０５により復調させた後、データ信号として扱えるように変換することができる。
【００３７】
図８は、非接触ＩＣ２０２、２０３、４０２、４０３の構成を示すブロック図である。非接触ＩＣは、ＲＦＩＤタグ、或いはデータキャリアとも呼ばれ、ＩＣリーダ／ライタ５１７、６１２と無線で（すなわち非接触で）交信することが可能となっている。
【００３８】
本実施形態では、極小サイズのミューチップ型の非接触ＩＣを想定しており、この非接触ＩＣを、図２や図４に示したように、ＩＤペーパ２０１や非接触ＩＣ付き書籍４０１の各ページに埋め込んで使用する。ただし、ラベル型の非接触ＩＣを記録紙（ＩＤペーパ２０１や非接触ＩＣ付き書籍４０１）に貼り付けて使用することも可能である。このような形態で原稿に対して非接触ＩＣを付加する場合の付加位置は、ＩＤペーパ２０１の４隅、周辺部等の余白となるべき位置であることが望ましい。
【００３９】
図８に示したように、非接触ＩＣ２０２、２０３、４０２、４０３には、不揮発性メモリ８０１、電波を送受信するためのアンテナ部８０２、共振コンデンサ部８０３、電流の整流・平滑を行うための電力形成部８０４、電波の復調・変調を行うための復変調回路８０５、及び制御部８０６が形成されている。この非接触ＩＣ２０２、２０３、４０２、４０３は、バッテリ等の電源を内蔵しておらず、ＩＣリーダ／ライタ５１７、６１２から供給される電波に基づいて電力を誘電している。
【００４０】
すなわち、アンテナ部８０２は、共振コンデンサ部８０３との組み合わせで共振回路を形成している。一方、ＩＣリーダ／ライタ５１７、６１２は、常時、電力生成用の電波（交流磁界）を発している。このＩＣリーダ／ライタ５１７、６１２に非接触ＩＣ２０２をかざすと、非接触ＩＣ２０２内の上記共振回路には電磁誘導作用により誘導電流が発生する。この誘導電流は、電力形成部８０４に出力され、電力形成部８０４は、入力された誘導電流を整流・平滑して所定電圧の電力を生成し、不揮発性メモリ８０１、制御部８０６、復変調回路８０５に供給する。
【００４１】
ＩＣリーダ／ライタ５１７、６１２は、電力生成用の電波信号の他に各種のデータに係る電波信号も同時に送信しており、このデータに係る電波信号は、復変調回路８０５によって復調され、制御部８０６の制御の下に不揮発性メモリ８０１に書き込まれる。また、制御部８０６は、不揮発性メモリ８０１からデータを読み出し、復変調回路６０５によって変調してアンテナ部８０２を介して電波信号として発信する。
【００４２】
次に、第１の実施形態における書籍のページ特定方法と、それによって提供できる機能について説明する。
【００４３】
まず、非接触ＩＣ付き書籍９０２は、表紙・裏表紙を含めて３００ページの各印刷用紙面に各１つずつ、合計１５０個の読み取り専用の非接触ＩＣ（ページ特定ＲＦＩＤ）が付加されている。各ページ特定ＲＦＩＤには、例えば９０１に示すような形式のデータが格納されている。シリアルＩＤ部には、書籍を構成する一枚一枚のＩＤペーパ２０１が一意に認識できるシリアルＩＤが格納されている。また、非接触ＩＣ付き書籍９０２は、課金やコピー制限の管理を行う読み書き可能な非接触ＩＣ（コピー制限ＲＦＩＤ）が付加されている。コピー制限ＲＦＩＤには９０４に示すような形式のデータが格納されている。シリアルＩＤ部と各シリアルＩＤに対するコピー制限や課金制御を行うためのフラグ等が格納されている。詳細な説明は後述する。
【００４４】
そして、ユーザは、この非接触ＩＣ付き書籍９０２の例えば１００ページ〜１０１ページの面を開き（図９の９０３参照）、原稿台ガラス１０３に載置して原稿台カバー部１２８を閉じ、複写を行う際にコピー制限や課金処理等を行う。このように、非接触ＩＣを用いてページを特定し、当該ページを複写制限する際のＭＦＰ１０１での処理プロセスを図１０のフローチャートに基づいて説明する。
【００４５】
非接触ＩＣは、透明性を持って複数の非接触ＩＣを同時に検知することが可能であるので、原稿台カバー部１２８に設置された第１の非接触ＩＣリーダ／ライタ３０１は、開いた書籍９０３の左側、すなわち、１ページから１００ページまでの５０枚のＩＤペーパの非接触ＩＣを検知する。また、同様に、第２の非接触ＩＣリーダ／ライタ３０２は、開いた書籍９０３の右側、すなわち１０１ページから３００ページまでの１００枚のＩＤペーパの非接触ＩＣを検知する。また、途中のページが折れている場合などは、より少ない量のページ情報しか検知されない場合もありうる（処理１００１）。
【００４６】
ＭＦＰは、非接触ＩＣリーダ／ライタ３０２により、コピー制限ＲＦＩＤから処理１００１で特定されたページに対応した情報を読み出す（処理１００２）。コピー制限ＲＦＩＤから読み出した内容により、コピー制限や課金処理を行う。まずコピー禁止フラグを確認し（処理１００３）、“１”ならばコピー不可能である旨を操作部１２９に表示し、複写を禁止する（処理１００４）。
【００４７】
次にコピー制限フラグを確認し（処理１００５）、“１”ならばコピー枚数制限フラグを確認する（処理１００６）。コピー枚数制限フラグが“０”ならば、当該ページはコピー制限も課金制限もない状態と判断され、通常のコピー動作を行うことができる（処理１００７）。コピー制限フラグが“１”である時は、当該ページのコピー枚数が制限されていると判断される場合は、まずコピーされた回数（ｍ）をカウントし、本処理の最初はｍに０を代入し初期化を行う（処理１００８）。そして、コピー制限ＲＦＩＤ内のコピー制限値とかピー回数を比較して（処理１００９）、コピー制限値がｍ以下の場合、非接触ＩＣリーダ／ライタ３０２によりコピー制限フラグを“０”に設定し、処理１００２まで戻る。コピー制限値がｍ以上の場合、コピー処理／印刷が行われる（処理１０１１）。コピー処理が継続するか否かを判断し（処理１０１２）、コピー処理が終了の場合、コピー制限値の値からコピー回数ｍを減算する（処理１０１３）。
【００４８】
処理１００５でコピー制御フラグが“０”の場合は、課金処理が行われると判断される。コピー制限ＲＦＩＤ内の課金情報と、当該ページの課金重み係数を比較して（処理１０１４）、課金情報よりも課金重み係数のほうが大きい場合、後述する課金処理ｆｌｏｗが行われる。課金情報よりも課金重み係数のほうが小さい場合は、コピー・印刷処理が行われ（処理１０１５）、課金情報から課金重み係数を引いた値を課金情報に代入する（処理１０１６）。コピー処理が終了と判断した場合（処理１０１７）、更新されたコピー管理ＲＦＩＤの内容を非接触ＩＣリーダ／ライタ３０２によりコピー制限ＲＦＩＤに書き込む（処理１０１８）。
【００４９】
課金処理ｆｌｏｗについて図１１を用いて説明する。本処理は、課金処理を行うことによって、コピー管理ＲＦＩＤ内の課金情報の内容を更新する。まず、非接触ＩＣリーダ／ライタ３０２により、コピー管理ＲＦＩＤ内の著作権管理サーバ情報を読み取り、ＭＦＰからネットワーク経由で著作権管理サーバにアクセスする（処理１１０１）。そして、操作部１２９から課金処理を行い（処理１１０２）、課金額に基づいて非接触ＩＣリーダ／ライタ３０２によりコピー管理ＲＦＩＤ内の課金情報を更新する（処理１１０３）。なお、本実施系ではネットワークによる課金方法を示したが、他の課金システムを用いて処理することは可能なことは言うまでもない。
【図面の簡単な説明】
【００５０】
【図１】ＭＦＰ装置の機械的な構成の概要を示す断面図である。
【図２】非接触ＩＣが付加されたＩＤペーパ（記録紙）を説明した図である。
【図３】非接触ＩＣリーダ／ライタの設置位置について説明した図である。
【図４】非接触ＩＣ付き書籍のＩＣ取り付け位置について説明した図である。
【図５】プリンタ部制御部のハードウェア構成を示すブロック図である。
【図６】イメージスキャナ部制御部のハードウェア構成を示すブロック図である。
【図７】ＩＣリーダ／ライタの構成を示すブロック図である。
【図８】非接触ＩＣの構成を示すブロック図である。
【図９】書籍のページ特定方法を説明した図である。
【図１０】コピー制限印刷処理の流れを示したフローチャート図である。
【図１１】課金処理の流れを示したフローチャート図である。
【符号の説明】
【００５１】
１００  ＭＦＰ装置
１０１  イメージリーダ部
１０２  プリンタ部
１０３  原稿台ガラス
１０４  原稿
１０５  ランプ
１０６、１０７、１０８  ミラー
１０９  レンズ
１１０  ３ラインＣＣＤセンサ
１１１  信号処理部
１１２  レーザドライバ
１１３  半導体レーザ
１１４  ポリゴンミラー
１１５  ｆ−θレンズ
１１６  ミラー
１１７  感光ドラム
１１８  回転現像器
１１９  マゼンタ現像部
１２０  シアン現像部
１２１  イエロー現像部
１２２  ブラック現像部
１２３  転写ドラム
１２４、１２５  用紙カセット
１２６  定着ユニット
１２７  非接触ＩＣリーダ／ライタ
１２８  排紙トレイ
１２９  操作部
【図１】
2006239922.tif 000003
【図２】
2006239922.tif 000004
【図３】
2006239922.tif 000005
【図４】
2006239922.tif 000006
【図５】
2006239922.tif 000007
【図６】
2006239922.tif 000008
【図７】
2006239922.tif 000009
【図８】
2006239922.tif 000010
【図９】
2006239922.tif 000011
【図１０】
2006239922.tif 000012
【図１１】
2006239922.tif 000013